(57)【特許請求の範囲】
【請求項１】
待機状態と各種動作要求に応じて各種動作処理を行う動作状態とを有し、当該待機状態中に当該待機状態であることを示す待機状態情報を表示すると共に、当該動作状態中に当該動作状態の各種情報を動作状態情報として表示する表示手段、並びに当該表示手段に対する当該待機状態情報の表示及び当該動作状態情報の表示を制御する制御手段を備えた画像処理装置において、
前記制御手段は、前記待機状態が所定の基準待機継続時間を経過した後、前記表示手段に対して予め設定されている任意に登録可能な複数種類の付加情報の表示中に、当該複数種類の付加情報を、任意に設定可能な所定の切換時間間隔毎に順次切り換えて表示すると共に、当該所定の切換時間間隔で切り換えて表示する付加情報と当該表示する付加情報の数とを選択可能とすることを特徴とする画像処理装置。
【請求項２】
請求項１記載の画像処理装置において、前記制御手段は、前記複数種類の付加情報を前記表示手段に表示しているときに前記各種動作要求が発生すると、当該複数種類の付加情報の表示を終了して前記動作状態情報を前記表示手段に表示することを特徴とする画像処理装置。
【請求項３】
請求項１又は２記載の画像処理装置において、前記制御手段の制御により前記複数種類の付加情報の表示と前記待機状態情報又は前記動作状態情報の表示とを切り換える切換手段を備えたことを特徴とする画像処理装置。
【請求項４】
請求項１〜３の何れか１項記載の画像処理装置において、前記複数種類の付加情報の表示を行うか否かの選択を行う表示選択手段と、前記基準待機継続時間の設定を行う時間設定手段とを備え、前記制御手段は、前記表示選択手段の選択に応じて前記複数種類の付加情報の表示と非表示との制御を行うと共に、前記時間設定手段の設定に応じて設定された前記基準待機継続時間に基づいて当該複数種類の付加情報の表示を行うことを特徴とする画像処理装置。
【請求項５】
請求項１〜４の何れか１項記載の画像処理装置において、前記制御手段は、前記複数種類の付加情報の前記表示手段への表示中に、所定の指定操作に応じて当該表示中の複数種類の付加情報から当該指定操作で指定された付加情報へ切り換えて表示することを特徴とする画像処理装置。
【発明の詳細な説明】
【技術分野】
【０００１】
本発明は、画像処理装置に関し、詳細には、画面面積を大きくすることなく、必要なより多くの情報を適切に表示部に表示する画像処理装置に関する。
【背景技術】
【０００２】
複写装置、ファクシミリ装置、プリンタ装置等の画像処理装置においては、ＬＣＤ（Liquid Crystal Display）等の表示部を備えており、画像処理装置の動作中には、当該動作の状態を示す情報（動作状態情報）を表示し、待機中には、待機中であることを示す情報（待機状態情報）を表示し、また、消耗品がなくなった場合のようなエラーが発生すると、当該エラーの発生を通知するエラー情報を表示する。
【０００３】
ところが、従来から画像処理装置を安価なものとするために、表示部の大きさは限られており、特に、プリンタ装置では、１行か２行程度の表示を行うＬＣＤが用いられている。このような大きさの限られた表示部には、表示できる情報量も限られているが、画像処理装置の利用性を向上させる上で表示させる必要のある情報量は、多く存在する。
【０００４】
そこで、本出願人は、先に、消耗品の情報等の必要な情報を印刷出力する画像形成装置を提案している（特許文献１参照）。
【０００５】
【特許文献１】特開２００２−６６９３号公報
【発明の開示】
【発明が解決しようとする課題】
【０００６】
しかしながら、上記公報記載の従来技術にあっては、必要な情報を用紙に印刷出力しているため、紙資源を削減する上で、改良の必要があるとともに、表示機能を効率的に利用して、利用性を向上させる上で、改良の必要があった。
【０００７】
そこで、本発明は、表示手段の画面面積を大きくすることなく、必要な情報を適切に表示して、利用性の良好な画像処理装置を提供することを目的としている。
【課題を解決するための手段】
【０００８】
上記目的を達成するため、本発明の第１の発明は、待機状態と各種動作要求に応じて各種動作処理を行う動作状態とを有し、当該待機状態中に当該待機状態であることを示す待機状態情報を表示すると共に、当該動作状態中に当該動作状態の各種情報を動作状態情報として表示する表示手段、並びに当該表示手段に対する当該待機状態情報の表示及び当該動作状態情報の表示を制御する制御手段を備えた画像処理装置において、前記制御手段は、前記待機状態が所定の基準待機継続時間を経過した後、前記表示手段に対して予め設定されている任意に登録可能な複数種類の付加情報の表示中に、当該複数種類の付加情報を、任意に設定可能な所定の切換時間間隔毎に順次切り換えて表示すると共に、当該所定の切換時間間隔で切り換えて表示する付加情報と当該表示する付加情報の数とを選択可能とすることを特徴とする。
【０００９】
第２の発明は、第１の発明において、前記制御手段は、前記複数種類の付加情報を前記表示手段に表示しているときに前記各種動作要求が発生すると、当該複数種類の付加情報の表示を終了して前記動作状態情報を前記表示手段に表示することを特徴とする。
【００１０】
第３の発明は、第１の発明又は第２の発明において、前記制御手段の制御により前記複数種類の付加情報の表示と前記待機状態情報又は前記動作状態情報の表示とを切り換える切換手段を備えたことを特徴とする。
【００１１】
第４の発明は、第１の発明〜第３の発明の何れか１において、前記複数種類の付加情報の表示を行うか否かの選択を行う表示選択手段と、前記基準待機継続時間の設定を行う時間設定手段とを備え、前記制御手段は、前記表示選択手段の選択に応じて前記複数種類の付加情報の表示と非表示との制御を行うと共に、前記時間設定手段の設定に応じて設定された前記基準待機継続時間に基づいて当該複数種類の付加情報の表示を行うことを特徴とする。
【００１２】
第５の発明は、第１の発明〜第４の発明の何れか１において、前記制御手段は、前記複数種類の付加情報の前記表示手段への表示中に、所定の指定操作に応じて当該表示中の複数種類の付加情報から当該指定操作で指定された付加情報へ切り換えて表示することを特徴とする。
【発明の効果】
【００１７】
本発明の画像処理装置によれば、制御手段によって待機状態が所定の基準待機継続時間を経過した後、表示手段に対して予め設定されている任意に登録可能な複数種類の付加情報の表示中に、複数種類の付加情報を、任意に設定可能な所定の切換時間間隔毎に順次切り換えて表示するとき、所定の切換時間間隔で切り換えて表示する付加情報と表示する付加情報の数とを選択可能とするため、表示手段の画面面積を大きくすることなく、通常の待機状態情報や動作状態情報以外の必要な情報を適切に表示することができ、利用性を向上させることができる。
【発明を実施するための最良の形態】
【００１８】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１９】
図１〜図３は、本発明の画像処理装置の第１実施例を示す図であり、図１は、本発明の画像処理装置の第１実施例を適用した画像形成装置１のブロック構成図である。
【００２０】
図１において、画像処理装置としての画像形成装置１は、ネットワークインターフェイス２、ＭＰＵ（Micro Processing Unit）３、プログラム用の記憶部４、リアルタイムクロック回路５、印刷エンジンインターフェイス６、印刷エンジン７、ワークメモリ用の記憶部８、オペレーションパネルインターフェイス９、オペレーションパネル１０、記憶媒体ドライブインターフェイス１１及び記憶媒体１２等を備えており、上記主要各部は、内部バス１３により接続されている。
【００２１】
ネットワークインターフェイス２には、図示しないが、ネットワークが接続されており、当該ネットワークには、パーソナルコンピュータ等のホスト装置等が接続されている。ネットワークインターフェイス２は、ネットワーク上のホスト装置から画像形成装置１への制御信号やデータの受信処理及び画像形成装置１からネットワーク上のホスト装置へのステータス信号の送信処理等を行う。
【００２２】
記憶部４は、画像形成装置１としての基本処理プログラム及び後述する表示制御処理プログラム等の各種プログラム及びこれらの各種プログラムを実行するのに必要な基本データ等を格納しており、記憶部８は、ＭＰＵ３のワークメモリ、ホスト装置からのデータをページ単位に管理して一時記憶するバッファ及びバッファに記憶されたデータを実際の印字パターンに変換してビデオデータを記憶するビットマップメモリ等に使用される。
【００２３】
ＭＰＵ３は、記憶部４内のプログラムに従って記憶部８をワークメモリとして利用しつつ、画像形成装置１の各部を制御し、ホスト装置からのデータ(印字データ、制御データ)を処理して、印刷処理等の画像形成装置１としての処理を行うとともに、後述する表示制御処理を行う。
【００２４】
リアルタイムクロック回路５は、時刻情報を発生するものであり、発振器及び分周器等を備えていて、各種クロックを発生する。ＭＰＵ３は、リアルタイムクロック回路５のクロックを読み込むことで、現在の時刻等を計時したり、時間の経過を利用した各種制御に用いる。
【００２５】
印刷エンジンインターフェイス６には、印刷エンジン７が接続されており、印刷エンジンインターフェイス６は、印刷エンジン７へ制御信号やビデオ信号を渡し、また、印刷エンジン７からのステータス信号を受け取る。
【００２６】
印刷エンジン７は、印刷エンジンインターフェイス６を介して受け取ったビデオ信号および制御信号により所定の画像形成方式、例えば、電子写真方式により画像形成（印字処理）を行う。すなわち、印刷エンジン７は、電子写真方式で画像形成する場合、電子写真方式で記録紙に印刷データを記録出力するのに必要な部品、例えば、感光体、光書込部、現像部、帯電部及びクリーニング部等を備えており、ビデオ信号および制御信号により光書込部を動作させて感光体上に静電潜像を形成し、現像部によりトナーを感光体上に供給して現像してトナー画像を形成する。そして、印刷エンジン７は、給紙部から記録紙を感光体と転写部との間に給紙して、感光体上のトナー画像を記録紙に転写させ、トナー画像の転写された記録紙を定着部に搬送して、定着部で加熱・加圧して記録紙上のトナー画像を定着させることで、画像を形成する。
【００２７】
オペレーションパネルインターフェイス９には、オペレーションパネル１０が接続されており、オペレーションパネル１０は、レーザプリンタ１の状態を示す表示部（表示手段）２０（図３参照）及び画像形成装置１の各種動作を指示操作する操作キー等を備えている。オペレーションパネルインターフェイス９は、ＭＰＵ３とオペレーションパネル１０とのインタフェース処理を行う。
【００２８】
記憶媒体ドライブインターフェイス１１には、記憶媒体１２、例えば、ＣＤ−ＲＯＭ（Compact Disc Read Only Memory）、ＣＤ−Ｒ（Compact Disc Recordable ）、ＣＤ−ＲＷ（Compact Disc Rewritable ）、ＤＶＤ−ＲＯＭ（Digital Video Disk Read Only Memory ）、ＤＶＤ−Ｒ（Digital Video Disk Recordable ）、ＤＶＤ＋ＲＷ（Digital Video Disk Rewritable ）等の光ディスク、コンパクトフラッシュメモリ（登録商標）、メモリスティック（ＭＳ）、スマートメディア、メモリカードメモリ、フロッピーディスク（登録商標）、Ｚｉｐ、ＭＯ（光磁気ディスク）、ＭＤ（Mini Disc ）、ＤＡＴ（Digital Audio Tape）、ＤＣＣ（Digital Compact Cassette）、磁気カード、ＩＣカード等が接続され、記憶媒体ドライブＩ／Ｆ１１は、記憶媒体１２へのデータの書き込み及び記憶媒体１２からのデータの読み出しのインターフェイスを行う。
【００２９】
次に、本実施例の作用を説明する。本実施例の画像形成装置１は、オペレーションパネル１０の表示部２０へ表示する情報を画像形成装置１の状態に応じて変化させるとともに、特に、待機中の表示情報を、通常の待機中の表示情報（待機状態情報）だけでなく、待機中が所定の基準待機継続時間だけ継続すると、待機状態情報から予め設定されている付加情報に切り換えて表示する表示制御処理を行う。
【００３０】
すなわち、ＭＰＵ３は、画像形成装置１の電源のオン等の初期状態において、図２に示すように、まず、予め設定されている基準待機継続時間を計時する待機中計時タイマをクリアし（ステップＳ１０１）、現在の画像形成装置１の状態が待機中であるかチェックする（ステップＳ１０２）。
【００３１】
この待機中計時タイマの計時する基準待機継続時間は、予め設定されているが、オペレーションパネル１０のキー操作で、任意の時間に設定可能となっていてもよい。
【００３２】
ステップＳ１０２で、待機中のときには、ＭＰＵ３が、基準待機継続時間が経過したかを待機中計時タイマがタイムアップしたかでチェックし（ステップＳ１０３）、待機中計時タイマがタイムアップしていないときには、待機中計時タイマの計時をスタートさせて（ステップＳ１０４）、通常の待機状態情報をオペレーションパネル１０の表示部２０に表示させる（ステップＳ１０５）。ＭＰＵ３は、この通常の待機状態情報として、例えば、図３（ａ）に２行表示を行う場合について示すように、「印刷できます」等の待機状態情報を表示部２０に表示する。
【００３３】
次に、ＭＰＵ３は、待機状態情報の表示を表示部２０に行うと、待機中タイマがタイムアップするか、画像形成装置１の状態が変化したことを示す状態変化イベントを受信するまで当該待機状態情報の表示を行っている状態で待機して（ステップＳ１０７）、これら（待機中タイマのタイムアップ、状態変化イベントの受信）のいずれかが発生すると、ステップＳ１０２に戻る。
【００３４】
そして、ステップＳ１０２で、待機中であり、ステップＳ１０３で、待機中タイマがタイムアップしたときには、ＭＰＵ３は、オペレーションパネル１０の表示部２０への表示を待機状態情報から付加情報に切り換える（ステップＳ１０６）。
【００３５】
ＭＰＵ３は、この付加情報として、例えば、インターフェイス情報、消耗品情報等の予め付加情報として設定されている情報やユーザが任意に設定したユーザ設定情報を表示する。ＭＰＵ３は、例えば、インターフェイス情報としては、図３（ｅ）に示すように、ＩＰアドレスを表示部２０に表示し、消耗品情報としては、図３（ｆ）に示すように、トナー等の消耗品の残量を表示部２０に表示し、また、ユーザ設定情報としては、図３（ｇ）に示すように、画像形成装置１であるプリンタの管理者の連絡先を表示部２０に表示する。この付加情報のうち、ユーザ設定情報は、オペレーションパネル１０のキー操作で、設定入力して記憶部４等に登録してもよいし、ネットワークインターフェイス２を介して接続されているネットワーク上のコンピュータ等からユーザ設定情報を画像形成装置１に送信して、画像形成装置１が当該受信したユーザ設定情報を記憶部４等に登録して、表示に使用するようにしてもよい。
【００３６】
すなわち、付加情報は、１種類に限るものではなく、複数種類が用意されていてもよく、この場合、複数種類の付加情報を、例えば、任意に設定された切換時間間隔毎に切り換えて表示してもよいし、複数種類の付加情報のうちオペレーションパネル１０のキー操作で選択された付加情報を表示するようにしてもよい。さらに、複数種類の付加情報を切り換え時間間隔毎に切り換えて表示する場合、その表示させる付加情報の数及び付加情報をオペレーションパネル１０のキー操作等で適宜選択できるようにしてもよい。
【００３７】
ＭＰＵ３は、付加情報の表示を行うと、待機中タイマがタイムアップするか、画像形成装置１の状態が変化したことを示す状態変化イベントを受信するまで当該付加情報の表示を行っている状態で待機して（ステップＳ１０７）、これら（待機中タイマのタイムアップ、状態変化イベントの受信）のいずれかが発生すると、ステップＳ１０２に戻る。
【００３８】
ステップＳ１０２で、待機中ではなく、画像形成動作中やエラー発生中等のときには、ＭＰＵ３は、待機中計時タイマをクリアし（ステップＳ１０８）、通常動作情報である動作状態情報を表示部２０に表示する（ステップＳ１０９）。
【００３９】
ＭＰＵ３は、この通常動作情報（動作状態情報）として、例えば、図３（ｂ）に示すように、「印刷中」の文字と当該印刷中の文書名等の情報を表示部２０に表示し、また、エラーが発生しているときには、発生しているエラーの情報を、例えば、図３（ｃ）、（ｄ）のように表示部２０に表示する。例えば、用紙切れが発生しているときには、図３（ｃ）に示すように、「トレイ１の用紙がなくなりました」、「Ａ４の用紙を補給してください」等を表示部２０に表示し、また、紙詰まりが発生しているときには、例えば、図３（ｄ）に示すように、「内部で紙づまりが発生しました」、「つまった紙を取り除いてください」等を表示部２０に表示する。
【００４０】
ＭＰＵ３は、動作状態情報の表示を行うと、ステップＳ１０７に移行して、待機中タイマがタイムアップするか、画像形成装置１の状態が変化したことを示す状態変化イベントを受信するまで当該動作状態情報の表示を行っている状態で待機して（ステップＳ１０７）、これら（待機中タイマのタイムアップ、状態変化イベントの受信）のいずれかが発生すると、ステップＳ１０２に戻り、上記処理を繰り返し行う（ステップＳ１０２〜Ｓ１０９）。
【００４１】
なお、上記説明では、待機状態が基準待機継続時間経過すると、表示部２０への表示を、待機状態情報から付加情報に切り換えているが、オペレーションパネル１０のキー操作で、付加情報の表示機能が有効に設定されているときにのみ付加情報の表示を行い、付加情報表示機能が無効に設定されていると、待機状態が基準待機継続時間経過しても、付加情報の表示を行わないようにしてもよい。
【００４２】
このように、本実施例の画像形成装置１は、待機状態が所定の基準待機継続時間経過すると、予め設定されている付加情報をオペレーションパネル１０の表示部２０に表示している。
【００４３】
したがって、表示部２０の画面面積を大きくすることなく、通常の待機状態情報や動作状態情報以外の必要な情報（付加情報）を適切に表示することができ、画像形成装置１の利用性を向上させることができる。
【００４４】
また、本実施例の画像形成装置１は、付加情報をオペレーションパネル１０の表示部２０に表示しているときに、動作要求が発生すると、当該付加情報の表示を終了して、動作状態情報を表示している。
【００４５】
したがって、付加情報を表示中の待機状態から動作状態への変化が発生すると、当該動作状態の情報を適切かつ自動的に表示することができ、より一層利用性を向上させることができる。
【００４６】
さらに、本実施例の画像形成装置１は、オペレーションパネル１０での付加情報の表示を行うか否かの選択結果に応じて付加情報の表示と非表示を切り換えて処理し、また、基準待機継続時間をオペレーションパネル１０の操作で任意に設定可能であって、当該設定された基準待機継続時間に基づいて付加情報の表示を行っている。
【００４７】
したがって、画像形成装置１の利用状況に応じて、任意に付加表示の表示の有無と付加表情報の表示までの基準待機継続時間を設定することができ、利用性をより一層向上させることができる。
【００４８】
また、本実施例の画像形成装置１は、付加情報を複数登録可能であり、付加情報のオペレーションパネル１０の表示部２０への表示中に、指定操作に応じて当該表示中の付加情報から当該指定操作で指定された付加情報に切り換えて表示する。
【００４９】
したがって、知りたい任意の付加情報を表示させることができ、より一層利用性を向上させることができる。
【００５０】
さらに、本実施例の画像形成装置１は、付加情報の表示中に、所定の切換時間間隔毎に当該複数の付加情報を順次切り換えて表示する。
【００５１】
したがって、各種付加情報を表示して通知することができ、より一層利用性を向上させることができる。
【００５２】
また、本実施例の画像形成装置１は、付加情報の表示において、切換時間間隔で切り換えて表示する付加情報と当該表示する付加情報の数を任意に選択することができる。
【００５３】
したがって、知りたい付加情報を選択して適切に表示することができ、より一層利用性を向上させることができる。
【００５４】
さらに、本実施例の画像形成装置１は、複数の付加情報を切換時間間隔で切り換えて表示する際の当該切換時間間隔を任意に設定することができる。
【００５５】
したがって、画像形成装置１の設定環境や利用状況等に応じて、必要な付加情報を適切かつ認識が容易な状態で表示することができ、より一層利用性を向上させることができる。
【００５６】
また、本実施例の画像形成装置１は、付加情報が、任意に登録可能であり、当該登録された付加情報を表示している。
【００５７】
したがって、画像形成装置１の設定環境や利用状況に応じた付加情報を表示させることができ、より一層利用性を向上させることができる。
【実施例２】
【００５８】
図４及び図５は、本発明の画像処理装置の第２実施例を示す図であり、図４は、本発明の画像処理装置の第２実施例を適用した画像形成装置のオペレーションパネルの平面図である。
【００５９】
なお、本実施例は、上記第１実施例の画像形成装置１と同様の画像形成装置に適用したものであり、本実施例の説明においては、必要に応じて、上記第１実施例の説明で用いた符号をそのまま用いて説明する。
【００６０】
図４において、オペレーションパネル１０は、表示部２０が設けられているとともに、オンラインを指示操作するためのオンラインキー２１、メニューモードに切り換えて各種メニューを表示部２０に表示させるためのメニューキー２２、各種操作の確認を行うためのＯＫキー２３、表示部２０の表示項目の上下スクロールを行うための上下のスクロールキー２４、２５及び付加情報キー２６が設けられており、付加情報キー２６は、表示部２０の表示を付加情報と待機状態情報または動作状態情報とを切り換えるためのキー、すなわち、付加情報を表示している際にキー操作されると、当該付加情報の表示を中止させてそのときの画像形成装置１の状態に応じた表示、すなわち、待機状態表示または動作状態表示に切り換え、また、待機状態表示または動作状態表示を行っているときに、付加情報キー２６がキー操作されると、付加情報表示に切り換える。
【００６１】
そして、画像形成装置１は、図５に示すように表示制御処理を実行する。なお、図５において、上記第１実施例の図２の表示制御処理と同一の処理ステップについては、同一のステップナンバーを付して、その説明を簡略化する。
【００６２】
図５において、ＭＰＵ３は、画像形成装置１の電源のオン等の初期状態において、待機中計時タイマをクリアし（ステップＳ１０１）、付加情報キーフラグがＯＮか否かチェックする（ステップＳ２０１）。この付加情報キーフラグは、後述するように、オペレーションパネル１０の付加情報キー２６がオン操作（キー入力）されると、ＭＰＵ３が、ＯＮ設定する。
【００６３】
ステップＳ２０１で、付加情報キーフラグがＯＮでないときには、ＭＰＵ３は、上記第１実施例の場合と同様に、現在の画像形成装置１の状態が待機中であるかチェックし（ステップＳ１０２）、待機中のときには、基準待機継続時間が経過したか（待機中計時タイマがタイムアップしたか）をチェックする（ステップＳ１０３）。
【００６４】
ステップＳ１０３で、待機中計時タイマがタイムアップしていないときには、ＭＰＵ３は、待機中計時タイマの計時をスタートさせて（ステップＳ１０４）、通常の待機状態情報（図３（ａ）参照）をオペレーションパネル１０の表示部に表示させ（ステップＳ１０５）、待機中タイマがタイムアップするか、画像形成装置１の状態が変化したことを示す状態変化イベントを受信するか、キー入力があるまで当該待機状態情報の表示を行っている状態で待機して（ステップＳ１０７）、これら（待機中タイマのタイムアップ、状態変化イベントの受信、キー入力）のいずれかが発生すると、付加情報以外の情報（待機状態情報または動作状態情報）の表示中に付加情報キー２６が入力されたかチェックする（ステップＳ２０４）。
【００６５】
ステップＳ２０４で、付加情報以外の情報の表示中に付加情報キー２６が入力されないときには、ＭＰＵ３は、ステップＳ２０１に戻り、ステップＳ２０１で、付加情報キーフラグがオフ（ＯＦＦ）であって、ステップＳ１０２で、待機中であり、ステップＳ１０３で、待機中タイマがタイムアップしたときには、オペレーションパネル１０の表示部２０への表示を待機状態情報から付加情報（図３（ｅ）〜（ｇ）参照）に切り換える（ステップＳ１０６）。
【００６６】
ＭＰＵ３は、付加情報の表示を行うと、待機中タイマがタイムアップするか、画像形成装置１の状態が変化したことを示す状態変化イベントを受信するか、または、キー入力（付加情報キー２６のキー入力）まで当該待機状態情報の表示を行っている状態で待機して（ステップＳ１０７）、これら（待機中タイマのタイムアップ、状態変化イベントの受信、キー入力）のいずれかが発生すると、付加情報以外の情報の表示中に付加情報キー２６が入力されたかチェックする（ステップＳ２０４）。
【００６７】
ステップＳ２０４で、付加情報以外の情報の表示中に付加情報キー２６が入力されないときには、ＭＰＵ３は、ステップＳ２０１に戻り、付加情報キーフラグがオフ（ＯＦＦ）であって、ステップＳ１０２で、待機中ではなく、画像形成動作中やエラー発生中等のときには、ＭＰＵ３は、待機中計時タイマをクリアし（ステップＳ１０８）、動作状態情報を表示部２０に表示（図３（ｂ）〜（ｄ）参照）する（ステップＳ１０９）。
【００６８】
すなわち、ステップＳ１０６で、付加情報の表示を行って、ステップＳ１０７に移行して、待機中タイマのタイムアップ、状態変化イベントの受信またはキー入力のいずれかの発生を待っているときに、付加情報キー２６のキー入力があると、ＭＰＵ３は、ステップＳ１０７を抜けてステップＳ２０４に移行して、付加情報以外の表示中に付加情報キー２６がキー入力されたかチェックするが、このとき、付加情報表示中の付加情報キー２６の入力であるため、付加情報キーフラグをオンに設定することなく、ステップＳ２０１に移行して付加情報キーフラグがＯＮかチェックする。そして、ステップＳ２０１では、付加情報キーフラグは、オフ（ＯＦＦ）のままであるため、待機中かどうかのチェックに移行して、待機中であるか、動作中であるかによって待機状態情報または動作状態情報を表示する（ステップＳ１０３〜Ｓ１０５、Ｓ１０８、Ｓ１０９）。したがって、オペレーションパネル１０の表示部２０への付加情報の表示中に付加情報キー２６がキー入力されると、付加情報から待機状態情報または動作状態情報に切り換えて表示する。
【００６９】
そして、ステップＳ１０９で、通常動作情報（動作状態情報）の表示を行うと、ＭＰＵ３は、ステップＳ１０７に移行して、待機中タイマがタイムアップするか、画像形成装置１の状態が変化したことを示す状態変化イベントを受信するか、キー入力があるまで当該待機状態情報の表示を行っている状態で待機して（ステップＳ１０７）、これら（待機中タイマのタイムアップ、状態変化イベントの受信、キー入力）のいずれかが発生すると、付加情報以外の情報の表示中に付加情報キー２６が入力されたかチェックする（ステップＳ２０４）。
【００７０】
ステップＳ２０４で、付加情報以外の情報の表示中に付加情報キー２６が入力されると、ＭＰＵ３は、付加情報キーフラグをＯＮにセットして（ステップＳ２０５）、ステップＳ２０１に戻る。
【００７１】
ステップＳ２０１で、付加情報キーフラグがＯＮであると、ＭＰＵ３は、待機中計時タイマをクリアし、また、付加情報キーフラグをクリアして（ステップＳ２０２）、オペレーションパネル１０の表示部２０へ付加情報を表示させ（ステップＳ１０６）、待機中タイマがタイムアップするか、画像形成装置１の状態が変化したことを示す状態変化イベントを受信するか、キー入力があるまで当該付加情報の表示を行っている状態で待機して（ステップＳ１０７）、これら（待機中タイマのタイムアップ、状態変化イベントの受信、キー入力）のいずれかが発生すると、付加情報以外の情報の表示中に付加情報キー２６が入力されたかチェックする（ステップＳ２０４）。
【００７２】
すなわち、オペレーションパネル１０の表示部２０に待機状態情報または動作状態情報の表示を行っているときに、オペレーションパネル１０の付加情報キー２６がキー入力されると、当該表示中の待機状態情報または動作状態情報から付加情報に切り換えてオペレーションパネル１０の表示部２０に表示する。
【００７３】
ステップＳ２０４で、付加情報キー２６が入力されないときには、ＭＰＵ３は、ステップＳ１０２に戻り、上記同様に処理する（ステップＳ２０１〜Ｓ２０５、ステップＳ１０２〜Ｓ１０９）。
【００７４】
このように、本実施例の画像形成装置１は、付加情報キー２６の操作によって、付加情報の表示と待機状態情報または動作状態情報の表示とを切り換える。
【００７５】
したがって、オペレータの知りたい情報を知りたいときに表示させることができ、画像形成装置１の利用性を向上させることができる。
【００７６】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００７７】
待機状態情報と各種動作状態情報を表示する表示手段を備えた複写装置、プリンタ装置、複合装置、ファクシミリ装置、スキャナ装置等の画像処理装置一般に適用することができる。
【図面の簡単な説明】
【００７８】
【図１】本発明の画像処理装置の第１実施例を適用した画像形成装置のブロック構成図。
【図２】図１の画像形成装置による表示制御処理を示すフローチャート。
【図３】図１のオペレーションパネルの表示部の表示例を示す図。
【図４】本発明の画像処理装置の第２実施例を適用した画像形成装置の表示部の平面図。
【図５】本発明の画像処理装置の第２実施例を適用した画像形成装置による表示制御処理を示すフローチャート。
【符号の説明】
【００７９】
１  画像形成装置
２  ネットワークインターフェイス
３  ＭＰＵ
４  記憶部
５  リアルタイムクロック回路
６  印刷エンジンインターフェイス
７  印刷エンジン
８  記憶部
９  オペレーションパネルインターフェイス
１０  オペレーションパネル
１１  記憶媒体ドライブインターフェイス
１２  記憶媒体
１３  内部バス
２０  表示部
２１  オンラインキー
２２  メニューキー
２３  ＯＫキー
２４、２５  スクロールキー
２６  付加情報キー２６
【図１】
0004659597.tif 000002
【図２】
0004659597.tif 000003
【図３】
0004659597.tif 000004
【図４】
0004659597.tif 000005
【図５】
0004659597.tif 000006